(57)【要約】【課題】外部から押圧力が加えられても破損することなく、且つ、水滴等が付着しても表示画像が見え難くなることのないデジタルカメラ及びアダプタ装置を提供することである。【解決手段】ＣＣＤユニット３０で撮像した画像イメージを液晶モニタ３６に表示可能なデジタルカメラに於いて、上記液晶モニタ３６の表示面は、保護アダプタ６０の保護フィルタ６３によって覆われている。上記保護フィルタ６３の周縁部には圧電素子６４が配置されている。この圧電素子６４は、ボディ制御用マイクロコンピュータ４０から保護フィルタ駆動回路５４を介して制御されて、上記保護フィルタ６３を振動させる。【選択図】      図１
2005073139.tif 000002
【特許請求の範囲】
【請求項１】
撮像素子で撮像した画像イメージを液晶モニタに表示可能なデジタルカメラに於いて、
上記液晶モニタの表示面を覆う保護フィルタと、
上記保護フィルタの周縁部に配置された圧電素子と、
上記圧電素子を振動させ、それによって上記保護フィルタを振動させるための周期的な信号を、上記圧電素子に印加する駆動回路と、
を具備することを特徴とするデジタルカメラ。
【請求項２】
上記圧電素子が固着された上記保護フィルタは、上記デジタルカメラの本体に対して着脱自在であることを特徴とする請求項１に記載のデジタルカメラ。
【請求項３】
上記保護フィルタの表面には、二酸化チタン光触媒膜がコーティングされていることを特徴とする請求項１に記載のデジタルカメラ。
【請求項４】
上記デジタルカメラは撮影動作モードと画像表示モードを設定可能であり、上記画像表示モードが設定された場合に、画像表示動作の実行に先立って上記保護フィルタの加振動作を実行することを特徴とする請求項１に記載のデジタルカメラ。
【請求項５】
撮像素子で撮像した画像イメージを表示可能な液晶モニタを備えたデジタルカメラに於いて、
上記液晶モニタをカバーする保護フィルタを内蔵し、上記デジタルカメラ本体に装着可能な保護アダプタと、
上記保護アダプタ内に配置され、上記保護フィルタを振動させる加振手段と、
上記デジタルカメラ内に配置され、上記加振手段に制御信号を供給する制御手段と、
を具備することを特徴とするデジタルカメラ。
【請求項６】
上記加振手段は、上記保護フィルタの周縁部に固着された圧電素子であることを特徴とする請求項５に記載のデジタルカメラ。
【請求項７】
上記制御手段は、上記保護アダプタが装着されたか否かを判定する判定手段を更に具備し、
上記保護アダプタが装着されている場合に限って、上記制御信号を出力することを特徴とする請求項５に記載のデジタルカメラ。
【請求項８】
上記制御手段は、上記液晶モニタによる画像表示に先立って、上記制御信号を所定時間出力することを特徴とする請求項７に記載のデジタルカメラ。
【請求項９】
撮像素子で撮像した画像イメージを表示可能な液晶モニタを具備するデジタルカメラに装着可能なアダプタ装置に於いて、
上記液晶モニタをカバーする保護フィルタと、
上記デジタルカメラからの制御信号に応じて、上記保護フィルタを振動させる加振手段と、
を具備することを特徴とするアダプタ装置。
【発明の詳細な説明】
【技術分野】
【０００１】
この発明は、画像等の各種データを表示するための液晶モニタを備えたデジタルカメラ及びアダプタ装置に関するものである。
【背景技術】
【０００２】
近年、使用されているデジタルカメラは、撮影した画像を確認するための液晶モニタを装備したものがほとんどである。しかしながら、液晶表示モニタは、その表示面を外部に露出することになるので、外部からの押圧力によって破損する虞れがある。
【０００３】
また、カメラは屋外で使用することも多く、撮影時に液晶表示面に雨滴が付着してしまった場合等、表示画像が見え難くなる。更に、表示面を濡れたままにしておくと、水滴がカメラ内部に入り込んで故障の原因になる。
【０００４】
そこで、液晶表示素子の表示面のすぐ裏面に銀塩フイルムの背面を押圧する圧板を配置し、この圧板によって液晶表示素子を補強するようにしたカメラが知られている（例えば、特許文献１参照）。
【０００５】
また、カメラ本体に対しスライド可能に組み付けられカバー部材を備え、このカバー部材でもってモニタ部を覆うようにしたカメラが知られている（例えば、特許文献２参照）。
【特許文献１】特開平１１−１４９１２１公報
【特許文献２】特開平１１−１６０７７５公報
【発明の開示】
【発明が解決しようとする課題】
【０００６】
ところが、上述した特許文献１に記載の技術は、フイルムカメラの技術であって、デジタルカメラヘの適用は不可能である。また、外部からの押圧力に対してのみの効果しか有していないものであった。
【０００７】
一方、上述した特許文献２に記載の技術に於いては、撮影者がうっかりカバーを開いたままにしておき、その状態で水滴や塵挨が付着してしまった場合には、なんの効果も得られないという課題を有している。
【０００８】
この発明は上記課題に鑑みてなされたものであり、外部から押圧力が加えられても破損することなく、且つ、水滴等が付着しても表示画像が見え難くなることのないデジタルカメラ及びアダプタ装置を提供することを目的とする。
【課題を解決するための手段】
【０００９】
すなわち請求項１に記載の発明は、撮像素子で撮像した画像イメージを液晶モニタに表示可能なデジタルカメラに於いて、上記液晶モニタの表示面を覆う保護フィルタと、上記保護フィルタの周縁部に配置された圧電素子と、上記圧電素子を振動させ、それによって上記保護フィルタを振動させるための周期的な信号を、上記圧電素子に印加する駆動回路と、を具備することを特徴とする。
【００１０】
このような構成とすることにより、外部から押圧力が加えられても破損することなく、且つ、水滴等が付着しても表示画像が見え難くなることのないデジタルカメラを提供することができる。
【００１１】
請求項２に記載の発明は、請求項１に記載の発明に於いて、上記圧電素子が固着された上記保護フィルタは、上記デジタルカメラの本体に対して着脱自在であることを特徴とする。
【００１２】
このような構成とすることにより、必要に応じて保護フィルタを取り付けることも可能である。
【００１３】
請求項３に記載の発明は、請求項１に記載の発明に於いて、上記保護フィルタの表面には、二酸化チタン光触媒膜がコーティングされていることを特徴とする。
【００１４】
このような構成とすることにより、紫外線があたると光触媒作用によって表面の油汚れを分解するので、保護フィルタの表面の水滴や埃等を容易に除去することができる。
【００１５】
請求項４に記載の発明は、請求項１に記載の発明に於いて、上記デジタルカメラは撮影動作モードと画像表示モードを設定可能であり、上記画像表示モードが設定された場合に、画像表示動作の実行に先立って上記保護フィルタの加振動作を実行することを特徴とする。
【００１６】
このような構成とすることにより、画像表示動作時にのみ保護フィルタの加振動作が行われるので、不必要に保護フィルタが振動することがない。
【００１７】
請求項５に記載の発明は、撮像素子で撮像した画像イメージを表示可能な液晶モニタを備えたデジタルカメラに於いて、上記液晶モニタをカバーする保護フィルタを内蔵し、上記デジタルカメラ本体に装着可能な保護アダプタと、上記保護アダプタ内に配置され、上記保護フィルタを振動させる加振手段と、上記デジタルカメラ内に配置され、上記加振手段に制御信号を供給する制御手段と、を具備することを特徴とする。
【００１８】
このような構成とすることにより、外部から押圧力が加えられても破損することなく、且つ、水滴等が付着しても表示画像が見え難くなることのないデジタルカメラを提供することができる。
【００１９】
請求項６に記載の発明は、請求項５に記載の発明に於いて、上記加振手段は、上記保護フィルタの周縁部に固着された圧電素子であることを特徴とする。
【００２０】
このような構成とすることにより、圧電素子の振動でもって保護フィルタを振動させるので、付着した塵挨や水滴をはじき飛ばすことができる。
【００２１】
請求項７に記載の発明は、請求項５に記載の発明に於いて、上記制御手段は、上記保護アダプタが装着されたか否かを判定する判定手段を更に具備し、上記保護アダプタが装着されている場合に限って、上記制御信号を出力することを特徴とする。
【００２２】
このような構成とすることにより、保護アダプタが装着されていない場合は制御信号が出力されないので省電力効果がある。
【００２３】
請求項８に記載の発明は、請求項７に記載の発明に於いて、上記制御手段は、上記液晶モニタによる画像表示に先立って、上記制御信号を所定時間出力することを特徴とする。
【００２４】
このような構成とすることにより、液晶モニタの画像表示前のわずかな時間でも表示画面上の水滴や埃等を除去することができる。
【００２５】
請求項９に記載の発明は、撮像素子で撮像した画像イメージを表示可能な液晶モニタを具備するデジタルカメラに装着可能なアダプタ装置に於いて、上記液晶モニタをカバーする保護フィルタと、上記デジタルカメラからの制御信号に応じて、上記保護フィルタを振動させる加振手段と、を具備することを特徴とする。
【００２６】
このような構成とすることにより、外部から押圧力が加えられても破損することなく、且つ、水滴等が付着しても表示画像が見え難くなることのないアダプタ装置を提供することができる。
【発明の効果】
【００２７】
この発明によれば、外部から押圧力が加えられても破損することなく、且つ、水滴等が付着しても表示画像が見え難くなることのないデジタルカメラ及びアダプタ装置を提供することができる。
【発明を実施するための最良の形態】
【００２８】
以下、図面を参照してこの発明の実施形態を説明する。
【００２９】
図１は、この発明の一実施形態に係るデジタルカメラの構成を示すブロック図である。
【００３０】
図１に於いて、このデジタルカメラは、ボディユニット１と、交換可能なレンズユニット２と、通信コネクタ５を介して撮影した画像データを記録しておく記録メディア６と、ボディユニット１の装着可能な保護アダプタ６０とを有して構成されている。
【００３１】
上記レンズユニット２は、上記ボディユニット１の前面に設けられた、図示されないレンズマウントを介して着脱自在に装着されている。そして、上記レンズユニット２は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００３２】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズユニット２内の各部を駆動制御する。このＬμｃｏｍ１５は、通信コネクタ１７を介して、後述するボディ制御用マイクロコンピュータ４０の指令に従って制御される。
【００３３】
一方、ボディユニット１は、以下のように構成されている。
【００３４】
レンズユニット２内の撮影レンズ１１、絞り１２を介して入射される図示されない被写体からの光束は、クイックリターンミラー２０で反射されて、フォーカシングスクリーン２１、ペンタプリズム２２を介して接眼レンズ２３に至る。
【００３５】
上記クイックリターンミラー２０の中央部はハーフミラーになっており、該クイックリターンミラー２０がダウン（図示の位置）した際に一部の光束が透過する。そして、この透過した光束は、クイックリターンミラー２０に設置されたサブミラー２５で反射され、自動測距を行うためのＡＦセンサユニット２６に導かれる。尚、上記クイックリターンミラー２０のアップ時には、サブミラー２５は折り畳まれるようになっている。
【００３６】
また、図示されないが、クイックリターンミラー２０が光路より退避した場合は、撮影レンズ１１を通った光束は、フォーカルプレーン式のシャッタ２９を介してＣＣＤユニット３０に結像される。
【００３７】
このボディユニット１は、また、上記ＣＣＤユニット３０に接続されたＣＣＤインターフェイス回路３１と、記憶領域として設けられたＳＤＲＡＭ３４と、ＦｌａｓｈＲＯＭ３５と、液晶モニタ３６及び上記通信コネクタ５を介して記録メディア６とが、画像処理を行うための画像処理コントローラ３２に接続されている。これらは、電子撮像機能と共に電子記録表示機能を提供できるように構成されている。
【００３８】
上記記録メディア６は、各種のメモリカードや外付けのハードディスクドライブ（ＨＤＤ）等の外部記録媒体であり、通信コネクタ５を介してカメラボディ１と通信可能、且つ交換可能に装着される。
【００３９】
上記画像処理コントローラ３２は、通信コネクタ１７と、測光回路４１と、ミラー駆動回路４２と、ＡＦセンサ駆動回路４３と、シャッタチャージ機構４４と、シャッタ制御回路４５と、不揮発性メモリ（ＥＥＰＲＯＭ）４６等と共に、このボディユニット１内の各部を制御するための制御手段及び判定手段であるボディ制御用マイクロコンピュータ（以下、Ｂμｃｏｍと略記する）４０に接続されている。
【００４０】
上記Ｂμｃｏｍ４０には、当該カメラの動作状態を表示出力によって撮影者へ告知するための動作表示用ＬＣＤ４９と、カメラ操作スイッチ（ＳＷ）５０と、着脱検出スイッチ（ＳＷ）５２と、温度測定回路５３と、保護フィルタ駆動回路５４とが接続されている。
【００４１】
尚、上記Ｂμｃｏｍ４０とＬμｃｏｍ１５とは、レンズユニット２の装着時に於いて、通信コネクタ１７を介して通信可能に電気的接続がなされる。そして、デジタルカメラとしてＬμｃｏｍ１５がＢμｃｏｍ４０に従属的に協働しながら稼動するようになっている。
【００４２】
上記ＣＣＤユニット３０は、上記光路上を通過した被写体像を光電変換するための素子である。そして、このＣＣＤユニット３０の周辺の温度を測定するために、上記温度測定回路５３が設けられている。
【００４３】
上記測光回路４１は、上記ペンタプリズム２２からの光束に基づいて測光処理する回路である。上記ミラー駆動機構４２はクイックリターンミラー２０を駆動制御する機構であり、ＡＦセンサ駆動回路４３は上記ＡＦセンサユニット２６を駆動制御するための回路である。また、シャッタチャージ機構４４は、上記シャッタ２９の先幕と後幕を駆動するばねをチャージするための機構である。上述した先幕と後幕の動きは、上記シャッタ制御回路４５によって制御される。
【００４４】
不揮発性メモリ４６は、その他の記憶領域として、カメラ制御に必要な所定の制御パラメータを記憶する不揮発性記憶手段であり、Ｂμｃｏｍ４０からアクセス可能に設けられている。
【００４５】
上記カメラ操作スイッチ５０は、例えば撮影動作の実行を指示するレリーズスイッチ、撮影モードと画像表示モードを切り換えるモード変更スイッチ及びパワースイッチ等、当該カメラを操作するために必要な操作釦を含むスイッチ群で構成される。
【００４６】
保護アダプタ６０は、液晶モニタ３６の表示面をカバーするように装着可能である。そして、液晶モニタ３６の表示面はカメラボディ１の背面部に露出している。したがって、撮影者が誤って表示面に触ると、手油等が付着して汚れてしまったり、液晶表示素子を破損させる虞れがある。また、屋外で撮影をする場合、表示画面に塵挨や水滴等が付着することも考えられる。
【００４７】
従来のデジタルカメラに於いては、透明なプラスチックカバー等が装着されていたが、液晶画面の保護以外には役に立たないものであった。本実施形態のカメラに於いては、液晶モニタ３６の表示面を保護するために、カメラボデイ１に対して保護アダプタ６０を装着可能にしている。
【００４８】
この保護アダプタ６０には、液晶モニタ３６の表示画面を覆う保護フィルタ６３が設けられている。この保護フィルタ６３は無色透明なガラスで構成されているが、他の素材、例えばアクリル板等の部材で構成されるものであっても良い。この保護フィルタ６３の周縁部には、圧電素子６４が固着されている。この圧電素子６４は、加振手段として、カメラボディ１側から送られた制御信号によって振動するようになっている。そして、圧電素子６４の振動でもって保護フィルタ６３にも振動が発生し、結果として付着した塵挨や水滴をはじき飛ばすことができる。
【００４９】
更に、この保護フィルタ６３の表面には二酸化チタン光触媒膜がコーティングしてあり、太陽光に含まれる紫外線があたると光触媒作用によって表面の油汚れを分解するようになっている。尚、カメラボディ１と保護アダプタ６０は、保護アダプタ６０の装着時にコネクタ部５５にて電気的に接続される。
【００５０】
コネクタ部５５は、内部にコネクタ５６ａ及び５６ｂを有している。このうち、コネクタ５６ａは、カメラボデイ１内の保護フィルタ駆動回路５４から出力された制御信号を圧電素子に伝えるようになっている。また、コネクタ５６ｂの一端はカメラボディ１内のＢμｃｏｍ４０の信号入力端子ＡＤＰＩＮに接続され、他の一端は保護アダプタ６０内で接地されている。つまり、Ｂμｃｏｍ４０は、ＡＤＰＩＮ端子がローレベル（Ｌレベル）になったか否かで、保護アダプタ６０が装着されたか否かを判定することができる。
【００５１】
このように構成されたデジタルカメラの各部は、次のように稼動する。
【００５２】
先ず、画像処理コントローラ３２により、Ｂμｃｏｍ４０の指令に従ってＣＣＤインターフェイス回路３１が制御されて、ＣＣＤユニット３０から画像データが取り込まれる。この画像データは、一時保管用メモリであるＳＤＲＡＭ３４に取り込まれる。このＳＤＲＡＭ３４は、画像データが変換される際のワークエリア等に使用される。また、この画像データは、ＪＰＥＧデータに変換された後には、記録メディア６に保管されるように設定されている。
【００５３】
ミラー駆動機構４２は、上述したように、クイックリターンミラー２０をアップ（ＵＰ）位置とダウン（ＤＯＷＮ）位置へ駆動するための機構である。ミラー駆動機構４２によってクイックリターンミラー２０がＤＯＷＮ位置にある時、撮影レンズ１１からの光束は、ＡＦセンサユニット２６側とペンタプリズム２２側へと分割されて導かれる。
【００５４】
ＡＦセンサユニット２６内のＡＦセンサからの出力は、ＡＦセンサ駆動回路４３を介してＢμｃｏｍ４０へ送信されて、周知の測距処理が行われる。
【００５５】
一方、ペンタプリズム２２に隣接する接眼レンズ２３からは、撮影者が被写体を目視できる。また、上記ペンタプリズム２２を通過した光束の一部は、測光回路４１内のホトセンサ（図示せず）へ導かれ、ここで検知された光量に基づいて周知の測光処理が行われる。
【００５６】
撮影者によって上述したカメラ操作スイッチ５０の中のモード変更スイッチが操作されて、撮影モードから画像表示モードへ切り換えられると、記録メディア６に保管された画像データが読み出されて、液晶モニタ３６に表示可能である。記録メディア６から読み出された画像データは、画像処理コントローラ３２に於いてビデオ信号に変換され、液晶モニタ３６にて出力表示される。
【００５７】
尚、保護アダプタ６０が装着されている場合には、画像表示モードヘの切換えに応じて保護フィルタ６３が所定時間振動され、これにより水滴や塵挨が除去される。
【００５８】
次に、図２を参照して、上述したカメラボディ１とそれに装着可能な保護アダプタ６０について説明する。
【００５９】
上述したように、カメラボデイ１の背面には液晶モニタ３６が配置されており、その表示面３６ａが外部に露出されている。その表示面３６ａをカバーするように、保護アダプタ６０が装着可能である。この装着は、カメラボデイ１に設けられた係合穴６７、６８に対して、保護アダプタ６０側に設けられた係合爪６９、７０が嵌め込まれることによってと行われる。
【００６０】
保護アダプタ６０がカメラボディ１に装着された状態では、カメラボデイ１内の電気回路と保護アダプタ６０内の電気回路が、コネクタ５６ａ、５６ｂを介して接続されるようになっている。
【００６１】
次に、図３を参照して、保護フィルタ６３の詳細について説明する。
【００６２】
図３（ａ）は保護フィルタ６３への信号印加のための回路概念を示した図である。
【００６３】
図３（ａ）に示されるように、圧電素子６４ａ、６４ｂは、ガラス板６３ａの両端部近傍に設けられている。そして、圧電素子６４ａ、６４ｂは、圧電体板厚方向で同じ向きに分極され、圧電体表面側の面に周期信号を発生する発振器（保護フィルタ駆動回路５４）により、電気端子７３を介して周期的な電圧が印加される。この周期信号は、保護フィルタ６３の共振周波数を考慮して決定されるもので、矩形波でもサイン波でもかまわない。
【００６４】
次に、図３（ｂ）は、周期信号が印加された場合の保護フィルタ６３の振動状態を、図３（ａ）にて矢印Ａ方向から見て表した図である。
【００６５】
保護フィルタ６３は、ガラス板６３ａと圧電体６３ｂとで構成される。
【００６６】
図３（ｂ）にて、実線は電圧印加が無い場合であり、同図に於いて下側の二点鎖線は圧電体に＋（正）電圧が印加されて圧電体が伸びた場合、同図に於いて上側の二点鎖線は−（負）電圧が印加されて圧電体が縮んだ場合、が示されている。
【００６７】
図３（ｃ）は、図３（ｂ）に示されるように振動している保護フィルタ６３に生ずる屈曲振動を示した図である。
【００６８】
図３（ｃ）にて示される矢印は、保護フィルタ表面の質点の軌跡を示している。上記屈曲振動の腹７６の部分の質点は上下に振動し、最大の振動幅を有している。また、上記屈曲振動の節７５の位置では、質点は振動幅は零で回転振動のみ行われている。
【００６９】
上記屈曲振動の腹７６と節７５との間では、質点は該質点から近い側も節７５を中心とした円弧状の振動となる。
【００７０】
次に、図４に示される保護フィルタ駆動回路５４の回路図と、図５のタイムチャートに基づいて、本実施形態に於ける保護アダプタ６０の動作について説明する。
【００７１】
保護フィルタ駆動回路５４は圧電素子６４の駆動回路であり、図４に示されるような回路構成を有しており、その各部に於いて、図５のタイムチャートで表す波形信号（Ｓｉｇ１〜Ｓｉｇ４）が生成され、それらの信号に基づいて次のように制御される。
【００７２】
すなわち、保護フィルタ駆動回路５４は、図４に示されるように、Ｎ進カウンタ８１と、１／２分周回路８２と、インバータ８４と、複数のＭＯＳトランジスタＱ１、Ｑ２、Ｑ３と、トランス８４及び抵抗Ｒ１とから構成されている。
【００７３】
上記トランス８４の１次側に接続されたトランジスタＱ２及びトランジスタＱ３のオン／オフ切替え動作によって、そのトランス８４の２次側に所定周期の信号（Ｓｉｇ４）が発生するように構成されている。この所定周期の信号に基づいて、圧電素子６４を駆動させ、保護フィルタ６３を共振させるようになっている。
【００７４】
Ｂμｃｏｍ４０によって、制御ポートとして設けられた２つのＩＯポートＰ＿ＰｗＣｏｎｔ及びＩＯポートＤ＿ＮＣｎｔと、このＢμｃｏｍ４０内部に存在するクロックジェネレータ８０を介して、保護フィルタ駆動回路５４が次のように制御される。
【００７５】
クロックジェネレータ８０からは、圧電素子６４へ印加する信号周波数より充分に早い周波数でパルス信号（基本クロック信号）がＮ進カウンタ８１へ出力される。この出力信号が、図５のタイムチャートで示される波形の信号Ｓｉｇ１である。そして、この基本クロック信号は、Ｎ進カウンタ８１へ入力される。
【００７６】
Ｎ進カウンタ８１では、当該パルス信号がカウントされ、所定の値“Ｎ”に達する毎にカウント終了パルス信号が出力される。すなわち、基本クロック信号が１／Ｎに分周されることになる。この出力信号が、図５のタイムチャートで示される波形の信号Ｓｉｇ２である。
【００７７】
尚、この分周されたパルス信号は、ＨｉｇｈとＬｏｗのデューティ比が１：１ではない。そこで、１／２分周回路８２を通して、デューティ比が１：１へ変換される。また、この変換されたパルス信号は、図５のタイムチャートで示される波形の信号Ｓｉｇ３に対応する。
【００７８】
この変換されたパルス信号のＨｉｇｈ状態に於いて、この信号が入力されたＭＯＳトランジスタＱ２がオンされる。一方、トランジスタＱ３へは、インバータ８３を経由してこのパルス信号が印加される。したがって、パルス信号のＬｏｗ状態に於いて、この信号が入力されたトランジスタＱ３がオンされる。
【００７９】
トランス８４の１次側に接続されたトランジスタＱ２とトランジスタＱ３が交互にオンされると、２次側には図５のタイミングチャートで示される信号Ｓｉｇ４の如き周期の信号が発生する。
【００８０】
トランス８４の巻線比は、図示されない電源回路の出力電圧と圧電素子６４の駆動に必要な電圧から決定される。尚、抵抗Ｒ１は、トランス８４に過大な電流が流れることを制限するために設けられている。
【００８１】
圧電素子６４を駆動するに際しては、トランジスタＱ１がオン状態にあり、電源回路からトランス８４のセンタータップに電圧が印加されていなければならない。図中、トランジスタＱ１のオン／オフ制御は、ＩＯポートのＰ＿ＰｗＣｏｎｔを介して行われる。Ｎ進カウンタ８１の設定値“Ｎ”は、ＩＯポートＤ＿ＮＣｎｔから設定することができる。よって、Ｂμｃｏｍ４０は、設定値“Ｎ”を適宜に制御することで、圧電素子６４の駆動周波数を任意に変更可能である。
【００８２】
このとき、次式によって周波数は算出可能である。
【００８３】
Ｎ：カウンタヘの設定値、  
ｆｐｌｓ：クロックジェネレータの出力パルスの周波数、  
ｆｄｒｖ：圧電素子へ印加される信号の周波数、  
ｆｄｒｖ＝ｆｐｌｓ／２Ｎ                              …（１）
尚、この式に基づいた演算は、Ｂμｃｏｍ４０で行われる。
【００８４】
次に、図６のフローチャートを参照して、本実施形態に於けるデジタルカメラの動作を説明する。
【００８５】
カメラの電源スイッチ（図示せず）がオンされると、このフローチャートの実行が開始される。そして、ステップＳ１に於いて、カメラ内部の各機構や電気回路のイニシャライズが行われる。次いで、ステップＳ２にて、カメラ操作スイッチ５０に含まれるモード変更スイッチの状態がチェックされる。
【００８６】
ここで、撮影モードが設定されている場合には、ステップＳ３のサブルーチン「撮影動作」が実行される。このサブルーチン「撮影動作」は、撮影者のレリーズスイッチ操作に応答して、ＣＣＤユニット３０にて被写体像を撮像する動作である。この動作は、一般的なデジタルカメラでは公知の技術であるので、ここでは説明は省略する。
【００８７】
尚、このサブルーチン「撮影動作」に於いては、上記モード変更スイッチが操作された場合、若しくは電源スイッチが操作された場合に、メインルーチンに復帰して、ステップＳ４へ移行するようになっている。
【００８８】
一方、上記ステップＳ２に於いて、撮影モードが設定されていない場合、つまりは画像表示モードが表示されている場合には、ステップＳ５へ移行する。このステップＳ５では、保護アダプタ６０が装着されているか否かがチェックされる。これは、Ｂμｃｏｍ４０のＡＤＰＩＮ端子がローレベルになっているか否かで判定される。
【００８９】
このステップＳ５にて、ローレベル、すなわち保護アダプタ６０が装着されていなければ、保護フィルタ６３を振動させることができないので、ステップＳ７に移行する。一方、ローレベルになっている、すなわち保護アダプタ６０が装着されていれば、保護フィルタ６３を加振すべくステップＳ６に移行する。
【００９０】
ステップＳ６では、サブルーチン「加振動作」が実行される。この加振動作は、画像表示モードの実行前に行われる動作であって、撮影モードから画像表示モードに切り替わったとき、または、電源投入時にすでに画像表示モードが設定されていたときに、実行されるサブルーチンである。
【００９１】
そして、この加振動作は、保護フィルタ６３を上述の方法にて振動させるものである。この理由は、画像表示中に液晶モニタ３６の前面に配置された保護フィルタ６３が振動してしまうと、表示されている画像が見えにくくなるからである。尚、実際の加振動作の実行時間は、水滴や塵挨をはじき飛ばすのに充分な所定時間、例えば１秒程度に設定すれば良い。
【００９２】
加振動作が終了すれば、続くステップＳ７にて、サブルーチン「表示動作」が実行される。このサブルーチンは、ＦｌａｓｈＲｏｍ３５に記憶されている画像イメージが読み出されて液晶モニタ３６に表示される動作である。尚、この動作は公知の技術であるので詳細な説明は省略する。
【００９３】
また、このサブルーチン「表示動作」に於いては、モード変更スイッチが操作された場合、若しくは電源スイッチが操作された場合にメインルーチンに復帰し、上記ステップＳＳ４へ移行するようになっている。
【００９４】
ステップＳ４では、電源スイッチの状態がチェックされる。ここで、電源スイッチがオフの位置に設定されていた場合には、そのまま全ての動作が停止される。一方、電源スイッチがオフでなければ、上記ステップＳ２に移行して、モード変更スイッチのチェックが行われる。
【００９５】
以上述べた実施形態に於いては、液晶保護機能が不要な条件下の利便性を考慮して、保護フィルタ６３をカメラボディ１に対して着脱自在なアダプタ構成にしたが、カメラボデイ１に内蔵しても良いことはもちろんである。その場合は、アダプタ構造の部品が不要になるため、構造は更に簡単化できる。
【図面の簡単な説明】
【００９６】
【図１】この発明の一実施形態に係るデジタルカメラの構成を示すブロック図である。
【図２】カメラボディ１及び保護アダプタ６０の外観斜視図である。
【図３】保護フィルタ６３の詳細について説明するもので、（ａ）は保護フィルタ６３への信号印加のための回路概念を示した図、（ｂ）は周期信号が印加された場合の保護フィルタ６３の振動状態を、（ａ）の矢印Ａ方向から見て表した図、（ｃ）は（ｂ）にされるように振動している保護フィルタ６３に生ずる屈曲振動を示した図である。
【図４】保護フィルタ駆動回路５４の回路図である。
【図５】本実施形態に於ける保護アダプタ６０の動作について説明するタイミングチャートである。
【図６】本実施形態に於けるデジタルカメラの動作を説明するフローチャートである。
【符号の説明】
【００９７】
１…ボディユニット、２…レンズユニット、５、１７…通信コネクタ、６…記録メディア、１１…撮影レンズ、１２…絞り、１５…レンズ制御用マイクロコンピュータ（Ｌμｃｏｍ）、２０…クイックリターンミラー、２１…フォーカシングスクリーン、２２…ペンタプリズム、２３…接眼レンズ、２５…サブミラー、２６…ＡＦセンサユニット、２９…シャッタ、３０…ＣＣＤユニット、３１…ＣＣＤインターフェイス回路、３２…画像処理コントローラ、３６…液晶モニタ、４０…ボディ制御用マイクロコンピュータ（Ｂμｃｏｍ）、４１…測光回路、４６…不揮発性メモリ（ＥＥＰＲＯＭ）、５０…カメラ操作スイッチ（ＳＷ）、５４…保護フィルタ駆動回路、５５…コネクタ部、５６ａ、５６ｂ…コネクタ、６０…保護アダプタ、６３…保護フィルタ、６４…圧電素子。
【図１】
2005073139.tif 000003
【図２】
2005073139.tif 000004
【図３】
2005073139.tif 000005
【図４】
2005073139.tif 000006
【図５】
2005073139.tif 000007
【図６】
2005073139.tif 000008